(57)【要約】【課題】各種情報の出力を制御するために用いられる設定情報を容易に登録および変更する。【解決手段】カート端末装置１０において、店舗内の配置領域を示す情報と、当該配置領域に配置される商品を示す商品分類とを対応付けた商品配置情報を商品配置情報記憶部１５ｃに記憶し、発信機番号と商品分類などを対応付けたコンテンツ位置情報をコンテンツ位置情報記憶部１５ｄに記憶し、店舗内の任意の位置および任意の発信機が利用者によって指定された場合に、発信機位置情報作成処理部１６ｅが、商品配置情報を参照して当該位置に対応する商品分類を取得し、コンテンツ位置情報を参照して当該発信機に対応する商品分類を取得し、取得したそれぞれの商品分類が一致していた場合に、当該位置を示す位置情報（座標）と、当該発信機を識別する発信機番号とを対応付けた発信機位置情報を作成する。【選択図】        図２
2008191951.tif 000002
【特許請求の範囲】
【請求項１】
敷地内の各所に設置された発信機からそれぞれ発信される発信機情報に基づいて当該敷地内の物品に関する情報を出力する情報端末装置に設定される設定情報を作成する設定情報作成装置であって、
前記敷地内の領域を示す領域情報と、当該領域に配置される物品を示す物品情報とを対応付けた物品配置設定情報を記憶する物品配置設定記憶手段と、
前記発信機情報と前記物品情報とを対応付けた出力情報設定情報を記憶する出力情報設定記憶手段と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、
を備えたことを特徴とする設定情報作成装置。
【請求項２】
前記設定情報作成手段は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手段にさらに記憶させることを特徴とする請求項１に記載の設定情報作成装置。
【請求項３】
前記物品配置設定情報に基づいて、前記敷地内の領域と当該領域に配置される物品を示す物品情報とを対応付けた情報を表示装置に出力する物品配置情報出力手段をさらに備え、
前記設定情報作成手段は、前記物品配置情報出力手段により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする請求項１または２に記載の設定情報作成装置。
【請求項４】
敷地内の各所に設置された発信機からそれぞれ発信される発信機情報に基づいて当該敷地内の物品に関する情報を出力する情報端末装置に設定される設定情報を作成する設定情報作成方法であって、
前記敷地内の領域を示す領域情報と、当該領域に配置される物品を示す物品情報とを対応付けた物品配置設定情報を記憶する物品配置設定記憶工程と、
前記発信機情報と前記物品情報とを対応付けた出力情報設定情報を記憶する出力情報設定記憶工程と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成工程と、
を含んだことを特徴とする設定情報作成方法。
【請求項５】
前記設定情報作成工程は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶工程にさらに記憶させることを特徴とする請求項４に記載の設定情報作成方法。
【請求項６】
前記物品配置設定情報に基づいて、前記敷地内の領域と当該領域に配置される物品を示す物品情報とを対応付けた情報を表示装置に出力する物品配置情報出力工程をさらに含み、
前記設定情報作成工程は、前記物品配置情報出力工程により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする請求項４または５に記載の設定情報作成方法。
【請求項７】
敷地内の各所に設置された発信機からそれぞれ発信される発信機情報に基づいて当該敷地内の物品に関する情報を出力する情報端末装置に設定される設定情報を作成する設定情報作成プログラムであって、
前記敷地内の領域を示す領域情報と、当該領域に配置される物品を示す物品情報とを対応付けた物品配置設定情報を記憶する物品配置設定記憶手順と、
前記発信機情報と前記物品情報とを対応付けた出力情報設定情報を記憶する出力情報設定記憶手順と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手順と、
をコンピュータに実行させることを特徴とする設定情報作成プログラム。
【請求項８】
前記設定情報作成手順は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手順にさらに記憶させることを特徴とする請求項７に記載の設定情報作成プログラム。
【請求項９】
前記物品配置設定情報に基づいて、前記敷地内の領域と当該領域に配置される物品を示す物品情報とを対応付けた情報を表示装置に出力する物品配置情報出力手順をさらにコンピュータに実行させ、
前記設定情報作成手順は、前記物品配置情報出力手順により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする請求項７または８に記載の設定情報作成プログラム。
【請求項１０】
敷地内の各所に設置された発信機からそれぞれ発信される発信機情報に基づいて当該敷地内の物品に関する情報を出力する情報端末装置と、当該情報端末装置を管理するサーバ装置とから構成される情報出力システムであって、
前記サーバ装置が、
前記敷地内の領域を示す領域情報と当該領域に配置される物品を示す物品情報とを対応付けた物品配置設定情報を記憶する物品配置設定記憶手段と、
前記発信機情報と前記物品情報とを対応付けた出力情報設定情報を記憶する出力情報設定記憶手段と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、
前記物品配置設定情報、前記出力情報設定情報および前記発信機位置設定情報を前記情報端末装置に送信する設定情報送信手段と、を備え、
前記情報端末装置が、
前記サーバ装置により送信された前記物品配置設定情報、前記出力情報設定情報および前記発信機位置設定情報を受信する設定情報受信手段と、
前記発信機からそれぞれ発信される発信機情報を受信した場合に、前記設定情報受信手段により受信された物品配置設定情報、出力情報設定情報および発信機位置設定情報に基づいて、前記敷地内の物品に関する情報を出力する物品関連情報出力手段と、
を備えたことを特徴とする情報出力システム。
【発明の詳細な説明】
【技術分野】
【０００１】
この発明は、敷地内の各所に設置された発信機からそれぞれ発信される発信機情報に基づいて当該敷地内の物品に関する情報を出力する情報端末装置に設定される設定情報を作成する設定情報作成装置、設定情報作成方法、設定情報作成プログラムおよび情報出力システムに関するものである。
【背景技術】
【０００２】
従来、スーパーマーケットなどで利用されるショッピングカートにディスプレイなどの表示装置を備え付け、商品に関する情報を出力する技術が存在する。例えば、ＩＣタグなどを利用してショッピングカートの位置を検出し、その付近に存在する商品の広告を表示装置に出力する技術や、バーコードリーダを用いて商品を識別し、その商品の名称や価格、商品案内などを表示装置に出力する技術などが開示されている（例えば、特許文献１、２および３参照。）。
【０００３】
【特許文献１】特開２００１−３４８５０号公報
【特許文献２】特開２００２−３０４６７１号公報
【特許文献３】特開２００６−１５５２８６号公報
【発明の開示】
【発明が解決しようとする課題】
【０００４】
通常、このような従来の技術では、位置を示す情報と商品に関する情報とを対応付けた設定情報や、商品を識別する情報と商品に関する情報とを対応付けた設定情報など、各種の設定情報を用いて、表示装置への情報出力を制御する。
【０００５】
そのため、例えば、スーパーマーケットなどでは、季節や時間に合わせて店舗内の商品の配置場所や配置する商品の種類が変更されるが、その場合には、変更された配置場所や商品の種類に合わせて、前述した各種設定情報も変更する必要がある。
【０００６】
しかしながら、扱われる商品の種類が多い場合や、広い商品エリアを対象とする場合などは、登録及び変更すべき設定情報の量が大量になり、設定情報の変更を行う際に多大な労力が必要になるという問題がある。設定情報の変更が正しく行われないと、ショッピングカートの付近に存在する商品とは異なる商品に関する情報が出力されたり、バーコードリーダを用いて識別した商品とは異なる商品に関する情報が出力されたりし、利用者の混乱を招くことになる。
【０００７】
そこで、各種情報の出力を制御するために用いられる設定情報を、いかにして、容易に登録および変更することを可能にするかが極めて重要な課題となっている。
【０００８】
この発明は、上述した従来技術による問題点を解消するためになされたものであり、各種情報の出力を制御するために用いられる設定情報を容易に登録および変更することができる設定情報作成装置、設定情報作成方法、設定情報作成プログラムおよび情報出力システムを提供することを目的とする。
【課題を解決するための手段】
【０００９】
上述した課題を解決し、目的を達成するため、本発明は、敷地内の各所に設置された発信機からそれぞれ発信される発信機情報に基づいて当該敷地内の物品に関する情報を出力する情報端末装置に設定される設定情報を作成する設定情報作成装置であって、前記敷地内の領域を示す領域情報と、当該領域に配置される物品を示す物品情報とを対応付けた物品配置設定情報を記憶する物品配置設定記憶手段と、前記発信機情報と前記物品情報とを対応付けた出力情報設定情報を記憶する出力情報設定記憶手段と、前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、を備えたことを特徴とする。
【００１０】
また、本発明は、上記の発明において、前記設定情報作成手段は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手段にさらに記憶させることを特徴とする。
【００１１】
また、本発明は、上記の発明において、前記物品配置設定情報に基づいて、前記敷地内の領域と当該領域に配置される物品を示す物品情報とを対応付けた情報を表示装置に出力する物品配置情報出力手段をさらに備え、前記設定情報作成手段は、前記物品配置情報出力手段により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする。
【００１２】
また、本発明は、敷地内の各所に設置された発信機からそれぞれ発信される発信機情報に基づいて当該敷地内の物品に関する情報を出力する情報端末装置に設定される設定情報を作成する設定情報作成方法であって、前記敷地内の領域を示す領域情報と、当該領域に配置される物品を示す物品情報とを対応付けた物品配置設定情報を記憶する物品配置設定記憶工程と、前記発信機情報と前記物品情報とを対応付けた出力情報設定情報を記憶する出力情報設定記憶工程と、前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成工程と、を含んだことを特徴とする。
【００１３】
また、本発明は、上記の発明において、前記設定情報作成工程は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶工程にさらに記憶させることを特徴とする。
【００１４】
また、本発明は、上記の発明において、前記物品配置設定情報に基づいて、前記敷地内の領域と当該領域に配置される物品を示す物品情報とを対応付けた情報を表示装置に出力する物品配置情報出力工程をさらに含み、前記設定情報作成工程は、前記物品配置情報出力工程により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする。
【００１５】
また、本発明は、敷地内の各所に設置された発信機からそれぞれ発信される発信機情報に基づいて当該敷地内の物品に関する情報を出力する情報端末装置に設定される設定情報を作成する設定情報作成プログラムであって、前記敷地内の領域を示す領域情報と、当該領域に配置される物品を示す物品情報とを対応付けた物品配置設定情報を記憶する物品配置設定記憶手順と、前記発信機情報と前記物品情報とを対応付けた出力情報設定情報を記憶する出力情報設定記憶手順と、前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手順と、をコンピュータに実行させることを特徴とする。
【００１６】
また、本発明は、上記の発明において、前記設定情報作成手順は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手順にさらに記憶させることを特徴とする。
【００１７】
また、本発明は、上記の発明において、前記物品配置設定情報に基づいて、前記敷地内の領域と当該領域に配置される物品を示す物品情報とを対応付けた情報を表示装置に出力する物品配置情報出力手順をさらにコンピュータに実行させ、前記設定情報作成手順は、前記物品配置情報出力手順により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする。
【００１８】
また、本発明は、敷地内の各所に設置された発信機からそれぞれ発信される発信機情報に基づいて当該敷地内の物品に関する情報を出力する情報端末装置と、当該情報端末装置を管理するサーバ装置とから構成される情報出力システムであって、前記サーバ装置が、前記敷地内の領域を示す領域情報と当該領域に配置される物品を示す物品情報とを対応付けた物品配置設定情報を記憶する物品配置設定記憶手段と、前記発信機情報と前記物品情報とを対応付けた出力情報設定情報を記憶する出力情報設定記憶手段と、前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、前記物品配置設定情報、前記出力情報設定情報および前記発信機位置設定情報を前記情報端末装置に送信する設定情報送信手段と、を備え、前記情報端末装置が、前記サーバ装置により送信された前記物品配置設定情報、前記出力情報設定情報および前記発信機位置設定情報を受信する設定情報受信手段と、前記発信機からそれぞれ発信される発信機情報を受信した場合に、前記設定情報受信手段により受信された物品配置設定情報、出力情報設定情報および発信機位置設定情報に基づいて、前記敷地内の物品に関する情報を出力する物品関連情報出力手段と、を備えたことを特徴とする。
【発明の効果】
【００１９】
本発明によれば、敷地内の領域を示す領域情報と、当該領域に配置される物品を示す物品情報とを対応付けた物品配置設定情報、および、発信機情報と物品情報とを対応付けた出力情報設定情報を記憶し、敷地内の任意の位置および任意の発信機が利用者によって指定された場合に、物品配置設定情報を参照して当該位置に対応する物品情報を取得し、出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成するので、情報の出力を制御するために用いられる設定情報を容易に登録および変更することができるという効果を奏する。
【００２０】
また、本発明によれば、出力情報設定情報を参照した際に、利用者によって指定された発信機に対応する物品情報が当該出力情報設定情報に含まれていなかった場合には、物品配置設定情報を参照して、利用者によって指定された位置に対応する物品情報を取得し、取得した物品情報と、利用者によって指定された発信機を識別する発信機情報とを対応付けた出力情報設定情報をさらに記憶するので、発信機位置設置情報と出力情報設定情報とを同時に作成することによって、設定情報の作成にかかる労力を削減することが可能になり、その結果、情報の出力を制御するために用いられる設定情報をさらに容易に登録および変更することができるという効果を奏する。
【００２１】
また、本発明によれば、物品配置設定情報に基づいて、敷地内の領域と当該領域に配置される物品を示す物品情報とを対応付けた情報を表示装置に出力し、出力した情報を用いて位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成するので、表示装置およびアイコンなどを用いて、設定情報を作成するためのユーザインタフェースを実現することによって、情報の出力を制御するために用いられる設定情報をさらに容易に登録および変更することができるという効果を奏する。
【発明を実施するための最良の形態】
【００２２】
以下に添付図面を参照して、この発明に係る設定情報作成装置、設定情報作成方法、設定情報作成プログラムおよび情報出力システムの好適な実施例を詳細に説明する。なお、本実施例では、スーパーマーケットやコンビニエンスストアなどで用いられるショッピングカートに設置されて、店舗内の各所に設置された発信機からそれぞれ発信される発信機情報に基づいて店舗内の商品に関する情報を出力するカート端末装置と、当該カート端末装置を管理する店舗サーバ装置とから構成される商品情報出力システムに本発明を適用した場合について説明する。
【実施例】
【００２３】
まず、本実施例に係る商品情報出力システムにおける設定情報作成方法の概要について説明する。図１は、本実施例に係る商品情報出力システムにおける設定情報作成方法の概要を説明するための説明図である。同図は、カート端末装置に備えられた表示装置に出力される画面の一例と、カート端末装置に設定される設定情報の一例とを示している。
【００２４】
本実施例に係る商品情報出力システムで用いられるカート端末は、店舗内の発信機から発信される発信機番号を受信する受信機と、各種情報を出力する表示装置と、商品に貼付されたバーコードから商品コードを読み取る情報読取機とを備えている。
【００２５】
また、このカート端末装置は、設定情報として各種の情報を記憶しており、具体的には、商品を識別する商品コードと、当該商品の商品名と、当該商品の商品分類などを対応付けた商品マスタ情報や、商品コードと、広告や案内など商品に関する情報であるコンテンツ情報とを対応付けたコンテンツ情報、店舗内の領域を示す配置領域と、当該配置領域に配置される商品の商品分類とを対応付けた商品配置情報、発信機を識別する発信機番号と、コンテンツ情報と、商品と、商品分類とを対応付けたコンテンツ位置情報、発信機が設置される店舗内の位置と、当該発信機を識別する発信機番号とを対応付けた発信機位置情報などを記憶している。
【００２６】
これらの設定情報は、開店前などに店舗サーバによって作成され、電源投入時にカート端末装置が店舗サーバに送信する送信要求に応じて、店舗サーバから各カート端末装置に対して配信される。
【００２７】
そして、カート端末装置は、販売員などの保守者によって選択される動作モードとして、購買客に対して商品に関する情報を出力する通常モードと、各種設定情報の保守を行うためのメンテナンスモードとを有している。
【００２８】
各動作モードについて簡単に説明すると、まず、通常モードでは、カート端末装置は、購買客がカートを利用するのにともなって店内を移動し、受信機によって発信機番号が受信されると、コンテンツ位置情報に基づいて、当該発信機番号に対応するコンテンツ情報を表示装置に出力する（同図の（１−１）参照）。
【００２９】
また、情報読取機によって商品コードが読み取られると、カート端末装置は、店舗内の商品の配置領域を商品分類ごとに並べた店舗マップを表示装置に出力するとともに、コンテンツ位置情報および発信機位置情報に基づいて、当該商品コードに対応する商品の位置を店舗マップ上に点滅表示する（同図の（１−２）参照）。
【００３０】
さらに、購買客から現在地の表示を要求されると、カート端末装置は、受信機を用いて付近にある発信機の発信機番号を受信し、発信機位置情報に基づいて、当該発信機の位置を店舗マップ上に点滅表示する（同図の（１−３）参照）。
【００３１】
一方、メンテナンスモードでは、カート端末装置は、販売員などの保守者の指示に応じて、発信機の位置を登録するための画面を、表示装置に出力する。同図の（ａ）は、メンテナンスモードで出力される画面を示している。同図に示すように、カート端末装置は、店舗内の領域と、各領域に配置される商品の商品分類とを表示装置に出力し、さらに、発信機の位置を示すアイコン（以下、「発信機アイコン」と呼ぶ）も表示装置に出力する。
【００３２】
この時、カート端末装置は、コンテンツ位置情報と発信機位置情報の両方に登録されている発信機については、発信機位置情報の位置に基づいて、店舗マップ上に発信機アイコンを表示する。この一方で、カート端末装置は、コンテンツ位置情報には登録されているが、発信機位置情報には登録されていない発信機については、店舗マップ外の所定の位置に発信機アイコンを表示する（同図の（ａ）に示す発信機アイコン３，４，５など）。
【００３３】
例えば、コンテンツ位置情報には、同図の（ｃ）に示すように、発信機番号「１」，「２」，「３」，「４」，「５」，「６」などの情報が登録されており、発信機位置情報には、同図の（ｄ）に示すように、発信機番号「１」，「２」および「６」の情報が登録されていたとする。この場合、カート端末装置は、同図の（ａ）に示すように、発信機番号が「１」，「２」および「６」の発信機アイコンを店舗マップ上に表示し、発信機アイコン「３」，「４」，「５」などの発信機アイコンを店舗マップ外に表示する。
【００３４】
また、同図の（ｃ）に示すように、コンテンツ位置情報において、例えば、発信機番号「２」の発信機には、商品「コーヒー」および商品分類「飲料」が対応付けられ、発信機番号「３」の発信機には、商品「牛乳」および商品分類「飲料」が対応付けられ、それぞれ登録されていたとする。なお、ここでは、説明を分かりやすくするため、コンテンツ位置情報には、「商品コード」の代わりに「商品」を用いている。
【００３５】
ここで、例えば、実際の店舗内にある飲料売場のなかで、それまではコーヒーが置かれていた場所が、牛乳で置き換えられた場合を考える。その場合、保守者は、まず、カート端末を操作して、表示装置に表示されている店舗マップ上から発信機番号「２」の発信機アイコンを店舗マップ外に移動する（同図の（２−１）参照）。この時、カート端末装置は、発信機位置情報から発信機番号「２」の情報を削除する。
【００３６】
続いて、保守者は、店舗マップ外に表示されている発信機番号「３」の発信機アイコンを、発信機番号「２」の発信機アイコンがあった位置に移動する（同図の（２−１）参照）。この時、カート端末装置は、発信機番号「３」の発信機アイコンが置かれた店舗マップ上の配置領域の商品分類と、コンテンツ位置情報の発信機番号「３」の商品分類とが一致しているか否かをチェックする（同図の（２−２）参照）。ここでは、商品分類はともに「飲料」であり、一致している。この場合、カート端末装置は、発信機番号「３」と、位置（ここでは「ｃ，ｄ」）とを対応付けて、発信機位置情報に登録する（同図の（２−３）参照）。
【００３７】
ところで、発信機番号「３」の発信機アイコンを移動する際に、保守者が誤って「酒」の配置領域に当該発信機アイコンを移動したとする。その場合、カート端末装置は、発信機アイコンが置かれた配置領域の商品分類と発信機番号「３」の商品分類とが一致していないため、画面上に警告メッセージを出力する。
【００３８】
また、例えば、発信機番号「３」の情報がまだコンテンツ位置情報に登録されていなかったとする。その場合、カート端末装置は、商品分類をチェックする際に発信機番号「３」の情報がコンテンツ位置情報にないことを確認すると、商品マスタ情報およびコンテンツ情報（ともに図示せず）を参照して、商品分類「飲料」に属する商品およびコンテンツ情報の一覧を生成し、画面上に出力する。そして、保守者によって商品（ここでは、「牛乳」）およびコンテンツ情報が選択されると、選択されたコンテンツ情報および商品、ならびに、商品分類「飲料」を発信機番号「３」に対応付けて、コンテンツ位置情報に登録する（同図の（２−４）参照）。
【００３９】
なお、上記で説明したメンテナンスモードの機能は、店舗サーバにも同様に備えられ、各種設定情報の初期登録時や、変更時などに用いられる。
【００４０】
このように、本実施例に係る商品情報出力システムは、スーパーマーケットやコンビニエンスストアなどで用いられるショッピングカートに設置されて、店舗内の各所に設置された発信機からそれぞれ発信される発信機情報に基づいて店舗内の商品に関する情報を出力するカート端末装置と、当該カート端末装置を管理する店舗サーバ装置とから構成される商品情報出力システムであって、カート端末装置やサーバ装置において、上述したメンテナンスモードの機能を用いて、コンテンツ情報や、商品の位置、発信機の位置の出力を制御するために用いられる設定情報を容易に登録および変更することができる点に、主な特徴がある。
【００４１】
次に、本実施例に係る商品情報出力システムの構成について説明する。図２は、本実施例に係る商品情報出力システムの構成を示す機能ブロック図である。同図に示すように、この商品情報出力システムは、カート端末装置１０と、店舗サーバ装置２０とから構成されており、カート端末装置１０と、店舗サーバ装置２０とは、無線ＬＡＮ（Local Area Network）３０を介して通信可能に接続されている。
【００４２】
最初に、カート端末装置１０の構成について説明すると、カート端末装置１０は、同図に示すように、受信機１１と、表示装置１２と、情報読取機１３と、無線通信制御部１４と、記憶部１５と、制御部１６とを備える。
【００４３】
受信機１１は、店舗内の発信機から発信される発信機情報を受信する装置である。例えば、受信機１１は、発信機として赤外線発信機が用いられた場合には、赤外線受信機となり、発信機としてＩＣタグが用いられた場合には、ＩＣタグリーダとなる。
【００４４】
表示装置１２は、各種情報を出力するとともに、出力された情報を用いて利用者から入力された情報を受け付ける表示装置であり、例えば、タッチパネルなどによって実現される。
【００４５】
情報読取機１３は、商品に貼付されたバーコードから商品コードを読み取るバーコードリーダである。
【００４６】
無線通信制御部１４は、店舗サーバ装置２０との間の無線通信を制御する処理部である。
【００４７】
記憶部１５は、各種の情報やプログラムを記憶する記憶部であり、本発明に関連するものとしては、商品マスタ情報記憶部１５ａと、コンテンツ情報記憶部１５ｂと、商品配置情報記憶部１５ｃと、コンテンツ位置情報記憶部１５ｄと、発信機位置情報記憶部１５ｅとを備える。
【００４８】
このうち、商品マスタ情報記憶部１５ａは、各種商品を識別するための商品マスタ情報を記憶する記憶部である。図３は、商品マスタ情報記憶部１５ａの一例を示す図である。例えば、商品マスタ情報記憶部１５ａは、同図に示すように、商品を識別する商品コードと、当該商品の商品名と、当該商品の商品分類と、当該商品の価格などを対応付けた情報を商品マスタ情報として記憶する。
【００４９】
コンテンツ情報記憶部１５ｂは、広告や案内などを含んだコンテンツ情報を記憶する記憶部である。このコンテンツ情報記憶部１５ｂは、商品コードと、広告や案内など商品に関する情報を示すコンテンツ名とを対応付けた情報をコンテンツ情報として記憶する。ここで、コンテンツ名とは、広告や案内など各種情報（ファイル）の名称であり、これらの情報は、記憶部１５の所定の領域に格納される。
【００５０】
商品配置情報記憶部１５ｃは、商品が配置されている店舗内の領域を商品分類ごとに表すための商品配置情報を記憶する記憶部である。図４は、商品配置情報記憶部１５ｃの一例を示す図である。例えば、商品配置情報記憶部１５ｃは、同図に示すように、商品分類と、当該商品分類の商品を配置する配置領域とを対応付けた情報を商品配置情報として記憶する。ここで、配置領域とは、表示装置１２の画面上に表示される長方形の領域であり、当該画面上に定義されたＸ−Ｙ座標における２つの点によって表される。すなわち、配置領域は、これら２つの点を結ぶ線分を対角線とし、かつ、Ｘ軸に平行な２つの線分およびＹ軸に平行な２つの線分を各辺とする長方形となる。
【００５１】
コンテンツ位置情報記憶部１５ｄは、広告や案内など商品に関する情報ごとに、各情報を出力する位置を定義するためのコンテンツ位置情報を記憶する記憶部である。図５は、コンテンツ位置情報記憶部１５ｄの一例を示す図である。例えば、コンテンツ位置情報記憶部１５ｄは、同図に示すように、発信機を識別する発信機番号と、当該発信機番号が受信された場合に出力する商品に関する情報を示すコンテンツ名と、当該商品の商品コードと、当該商品の商品分類とを対応付けた情報をコンテンツ位置情報として記憶する。
【００５２】
発信機位置情報記憶部１５ｅは、発信機が設置される位置を表すための発信機位置情報を記憶する記憶部である。図６は、発信機位置情報記憶部１５ｅの一例を示す図である。例えば、発信機位置情報記憶部１５ｅは、同図に示すように、発信機を識別する発信機番号と、当該発信機が設置される店舗内の位置とを対応付けた情報を発信機位置情報として記憶する。ここで、店舗内の位置は、表示装置１２の画面上に表示される長方形の領域であり、当該画面上に定義されたＸ−Ｙ座標における１点で表される。
【００５３】
制御部１６は、カート端末装置１０の全体制御を行う制御部であり、本発明に関連するものとしては、発信機情報受信部１６ａと、読取制御部１６ｂと、入出力制御部１６ｃと、設定情報取得部１６ｄと、発信機位置情報作成処理部１６ｅとを備える。
【００５４】
このうち、発信機情報受信部１６ａは、受信機１１を制御するとともに、受信機１１によって受信された発信機情報から発信機番号を取得する処理部である。具体的には、発信機情報受信部１６ａは、例えば、一定時間（例えば、数秒単位）ごとに受信機１１が発信機情報を受信しているか否かを確認し、受信していた場合には、その発信機情報から発信機番号を取得し、取得した発信機番号を入出力制御部１６ｃに引き渡す。
【００５５】
読取制御部１６ｂは、情報読取機１３によって読み取られた商品コードを取得する処理部である。具体的には、読取制御部１６ｂは、利用者が店舗内の商品に貼付されたバーコードを情報読取機１３に近づけられた際に、情報読取機１３によって読み取られる商品コードを取得し、取得した該商品コードを入出力制御部１６ｃに引き渡す。
【００５６】
入出力制御部１６ｃは、表示装置１２に対する各種情報の出力や、表示装置１２を介して入力される各種情報の受け付けを制御する処理部である。具体的には、この入出力制御部１６ｃは、発信機情報受信部１６ａから発信機番号を受け取った場合には、当該発信機番号に基づいて、コンテンツ位置情報記憶部１５ｄに記憶されたコンテンツ位置情報を検索する。そして、入出力制御部１６ｃは、当該発信機番号に対応するコンテンツ位置情報を検出すると、検出したコンテンツ位置情報に設定されているコンテンツ名の情報を記憶部１５から取得し、表示装置１２に出力する。
【００５７】
また、入出力制御部１６ｃは、表示装置１２を介して、利用者から現在位置の表示を指示されると、発信機情報受信部１６ａから受け取っていた発信機番号に基づいて、発信機位置情報記憶部１５ｅに記憶された発信機位置情報を検索する。そして、入出力制御部１６ｃは、当該発信機番号に対応する発信機位置情報を検出すると、表示装置１２に店舗マップを出力するとともに、検出した当該発信機位置情報に設定されている位置によって示される点を、現在地として点滅表示する。
【００５８】
また、入出力制御部１６ｃは、読取制御部１６ｂから商品コードを受け取った場合には、当該商品コードに基づいて、コンテンツ位置情報記憶部１５ｄに記憶されたコンテンツ位置情報を検索する。そして、入出力制御部１６ｃは、当該発信機番号に対応するコンテンツ位置情報を検出すると、検出したコンテンツ位置情報に設定されている発信機番号に基づいて、発信機位置情報記憶部１５ｅに記憶された発信機位置情報を検索する。そして、入出力制御部１６ｃは、当該発信機番号に対応する発信機位置情報を検出すると、表示装置１２に店舗マップを出力するとともに、検出した当該発信機位置情報に設定されている位置によって示される点を、商品の位置として点滅表示する。
【００５９】
このほか、入出力制御部１６ｃは、表示装置１２を介して、動作モードの選択を利用者から受け付け、通常モードの選択を受け付けた場合には、上記で説明した処理を行い、一方、メンテナンスモードの選択を受け付けた場合には、発信機位置情報記憶部１５ｅに記憶されている発信機位置情報に基づいて、発信機の位置を登録するための発信機位置情報登録画面を表示装置１２に出力する。
【００６０】
図７は、発信機位置情報登録画面の一例を示す図である。入出力制御部１６ｃは、まずは、同図（ａ）に示すように、店舗内で商品が配置される配置領域と、各配置領域に配置される商品の商品分類とを店舗マップとして表示装置１２に出力する。
【００６１】
さらに、入出力制御部１６ｃは、発信機位置情報記憶部１５ｅに記憶された発信機位置情報を参照し、そこに登録されている発信機番号および位置に基づいて、店舗マップ上の配置領域に発信機アイコンを出力する。例えば、入出力制御部１６ｃは、同図（ｂ）に示すように、発信機アイコン１および２を、それぞれ、肉の配置領域および飲料の配置領域に表示する。この時、入出力制御部１６ｃは、さらにコンテンツ位置情報記憶部１５ｄに記憶されたコンテンツ位置情報を参照し、発信機位置情報には登録されていないが、コンテンツ位置情報には登録されている発信機番号があった場合には、当該発信機番号の発信機を示す発信機アイコンを、店舗マップ外の所定の位置に出力する。例えば、入出力制御部１６ｃは、同図（ｂ）に示すように、発信機アイコン３〜８を店舗マップの右側に上から順に並べて表示する。
【００６２】
利用者は、表示装置１２を操作することによって、発信機位置情報登録画面に表示された発信機アイコンを、店舗マップ上の任意の配置領域に配置することができる。そして、利用者によって、いずれかの発信機アイコンが、いずれかの配置領域に配置されると、入出力制御部１６ｃは、配置された発信機アイコンが示す発信機の発信機番号と、当該発信機が配置された座標とを対応付けて、発信機位置情報作成処理部１６ｅに引き渡す。
【００６３】
このように、タッチパネルなど入出力機能を備えた表示装置に発信機位置情報登録画面を出力し、さらに、店舗マップや発信機アイコンなどを用いてＧＵＩ（Graphical User Interface）を実現することによって、容易に発信機の位置を決定することが可能になる。
【００６４】
設定情報取得部１６ｄは、店舗サーバ装置２０から各種設定情報を取得する処理部である。具体的には、この設定情報取得部１６ｄは、カート端末装置１０の電源が投入されたタイミングなど所定のタイミングで、無線通信制御部１４を介して、店舗サーバ装置２０に対して設定情報の送信要求を送信し、それに対して店舗サーバ装置２０から送信される商品マスタ情報、コンテンツ情報、商品配置情報、コンテンツ位置情報および発信機位置情報を、それぞれ、記憶部１５の商品マスタ情報記憶部１５ａ、コンテンツ情報記憶部１５ｂ、商品配置情報記憶部１５ｃ、コンテンツ位置情報記憶部１５ｄおよび発信機位置情報記憶部１５ｅに格納する。また、この時、設定情報取得部１６ｄは、コンテンツ名によって示される広告や案内などの各種情報もあわせて取得し、記憶部１５の所定の領域に格納する。
【００６５】
発信機位置情報作成処理部１６ｅは、利用者から指定された位置および発信機に基づいて、発信機位置情報およびコンテンツ位置情報を作成する処理部である。具体的には、この発信機位置情報作成処理部１６ｅは、入出力制御部１６ｃから発信機番号および座標を受け付けると、受け付けた位置に基づいて、商品配置情報記憶部１５ｃに記憶された商品配置情報を検索する。そして、当該位置を含む領域が設定された商品配置情報を検出すると、検出した商品配置情報に設定された商品分類を取得する。
【００６６】
さらに、発信機位置情報作成処理部１６ｅは、受け付けた発信機番号に基づいて、コンテンツ位置情報記憶部１５ｄに記憶されたコンテンツ位置情報を検索する。そして、当該発信機番号が設定されたコンテンツ位置情報を検出すると、検出したコンテンツ位置情報に設定された商品分類を取得する。
【００６７】
そして、発信機位置情報作成処理部１６ｅは、取得したそれぞれの商品分類を比較し、一致していた場合には、受け付けた発信機番号および座標を対応付けて発信機位置情報を作成し、発信機位置情報記憶部１５ｅに登録する。
【００６８】
ここで、発信機位置情報作成処理部１６ｅは、商品分類が一致していなかった場合には、誤った商品分類の配置領域に発信機が配置されたと判断し、表示装置１２に警告メッセージを出力する。
【００６９】
ところで、発信機位置情報作成処理部１６ｅは、コンテンツ位置情報を検索した際に、受け付けた発信機番号が設定されたコンテンツ位置情報を検出できなかった場合には、受け付けた商品分類に基づいて、商品マスタ情報記憶部１５ａに記憶された商品マスタ情報を検索し、当該商品分類が設定された商品マスタ情報をすべて取得する。
【００７０】
そして、発信機位置情報作成処理部１６ｅは、取得した商品マスタ情報に設定されている商品コードごとに、コンテンツ情報記憶部１５ｂを検索し、それぞれの商品コードが設定されたコンテンツ情報をすべて取得する。そして、発信機位置情報作成処理部１６ｅは、取得したコンテンツ情報に設定された商品コードおよびコンテンツ名に基づいて、商品名とコンテンツ名とを対応付けた一覧を生成し、表示装置１２に出力する。ここで、一覧を生成する際、発信機位置情報作成処理部１６ｅは、それぞれの商品コードに基づいて、商品マスタ情報記憶部１５ａに記憶された商品マスタ情報を検索し、各商品コードに対応する商品名および商品分類を取得する。
【００７１】
利用者は、この一覧のなかから、配置しようとしている発信機に対して対応付ける商品及びコンテンツ情報を指定することができる。そして、利用者によって商品およびコンテンツ情報が指定されると、発信機位置情報作成処理部１６ｅは、入出力制御部１６ｃから受け付けた発信機番号と、指定された商品を識別する商品コードと、当該商品の商品分類と、指定されたコンテンツ名とを対応付けてコンテンツ位置情報を作成し、コンテンツ位置情報記憶部１５ｄに登録する。
【００７２】
そして、この後に、発信機位置情報作成処理部１６ｅは、入出力制御部１６ｃから受け付けた発信機番号および座標を対応付けて発信機位置情報を作成し、発信機位置情報記憶部１５ｅに登録する。
【００７３】
このように、発信機位置情報作成処理部１６ｅが、発信機位置情報登録画面を用いて利用者から指定された位置および発信機に基づいて、発信機位置情報、さらには、コンテンツ位置情報を作成するので、これら設定情報を容易に登録および変更することが可能になる。
【００７４】
続いて、店舗サーバ装置２０の構成について説明すると、店舗サーバ装置２０は、図２に示すように、無線通信制御部２１と、記憶部２２と、制御部２３とを備える。また、店舗サーバ装置２０は、図２には図示していない表示装置や入力装置など、一般的なサーバ装置に備えられる周辺機器を備えている。
【００７５】
無線通信制御部２１は、カート端末装置１０との間の無線通信を制御する処理部である。
【００７６】
記憶部２２は、各種の情報やプログラムを記憶する記憶部であり、本発明に関連するものとしては、商品マスタ情報記憶部２２ａと、コンテンツ情報記憶部２２ｂと、商品配置情報記憶部２２ｃと、コンテンツ位置情報記憶部２２ｄと、発信機位置情報記憶部２２ｅとを備える。これらの記憶部は、すでに説明した商品マスタ情報記憶部１５ａと、コンテンツ情報記憶部１５ｂと、商品配置情報記憶部１５ｃと、コンテンツ位置情報記憶部１５ｄと、発信機位置情報記憶部１５ｅと同様の情報をそれぞれ記憶するものであるので、ここでは説明を省略する。また、記憶部２２には、コンテンツ名で識別される広告や案内など各種情報（ファイル）も記憶される。なお、これらの記憶部に記憶された情報は、後述する設定情報送信部２３ｄによって、各カート端末装置１０から送信される送信応答に応じて、それぞれのカート端末装置に対して送信される。
【００７７】
制御部２３は、店舗サーバ装置２０の全体制御を行う制御部であり、本発明に関連するものとしては、商品配置情報作成処理部２３ａと、コンテンツ位置情報作成処理部２３ｂと、発信機位置情報作成処理部２３ｃと、設定情報送信部２３ｄとを備える。
【００７８】
このうち、商品配置情報作成処理部２３ａは、利用者から指定された商品分類および配置領域に基づいて、商品配置情報を作成する処理部である。具体的には、この商品配置情報作成処理部２３ａは、店舗サーバ装置２０の管理者等からの要求に応じて、商品分類および配置領域を指定するための商品配置情報登録画面を表示装置に出力する。
【００７９】
図８は、商品配置情報登録画面の一例を示す図である。商品配置情報作成処理部２３ａは、まず、同図（ａ）に示すように、店舗内のフロアと、店舗内に設置されている棚とを店舗マップとして表示装置に出力する。
【００８０】
利用者は、マウスやキーボードなどの入力装置を操作することによって、商品配置情報登録画面の任意の場所に配置領域を設定することができる。ここで、配置領域とは、商品配置情報登録画面上に表示される長方形の領域であり、当該画面上に定義されたＸ−Ｙ座標における２つの点によって表される。すなわち、配置領域は、これら２つの点を結ぶ線分を対角線とし、かつ、Ｘ軸に平行な２つの線分およびＹ軸に平行な２つの線分を各辺とする長方形となる。
【００８１】
さらに、利用者は、設定した配置領域に対して、その配置領域に配置する商品の商品分類を指定することができる。例えば、利用者は、同図（ｂ）に示すように、１２個の配置領域を設定し、設定した配置領域に対して、「惣菜」，「魚」，「肉」，「ベーカリ」，「菓子」，「飲料」，「日用品・雑貨」，「酒」，「加工食品」，「アイス」，「冷凍食品」，「野菜果物」を配置する。
【００８２】
そして、利用者によって、配置領域および商品分類が指定されると、商品配置情報作成処理部２３ａは、配置領域を表す２つの点の座標と、商品分類とを対応付けて商品配置情報を作成し、商品配置情報記憶部２２ｃに格納する。
【００８３】
このように、商品配置情報登録画面を用いて、配置領域および商品分類を指定することにより、利用者が、コンテンツ位置情報を容易に作成することが可能になる。
【００８４】
コンテンツ位置情報作成処理部２３ｂは、利用者から指定された発信機番号、コンテンツ名、商品コードおよび商品分類に基づいて、コンテンツ位置情報を作成する処理部である。具体的には、このコンテンツ位置情報作成処理部２３ｂは、店舗サーバ装置２０の管理者等からの要求に応じて、発信機番号、コンテンツ名、商品コードおよび商品分類を指定するためのコンテンツ位置情報登録画面を表示装置に出力する。
【００８５】
図９は、コンテンツ位置情報登録画面の一例を示す図である。コンテンツ位置情報作成処理部２３ｂは、例えば、同図に示すように、発信機番号ごとに、コンテンツ名、商品名および商品分類を指定する画面を、コンテンツ位置情報登録画面として表示する。
【００８６】
ここで、利用者によって、コンテンツ名を指定する領域にある「参照」ボタンが選択された場合には、コンテンツ位置情報作成処理部２３ｂは、記憶部２２に記憶されている広告や案内など各種情報を参照し、参照した情報を示すコンテンツ名の一覧を生成して、これをコンテンツ一覧として、表示装置に出力する。利用者は、このコンテンツ一覧から目的のコンテンツ名を選択することによって、コンテンツ名を容易に指定することができる。
【００８７】
また、利用者によって、同じくコンテンツ名を指定する領域にある「表示」ボタンが選択された場合には、コンテンツ位置情報作成処理部２３ｂは、その時点で指定されているコンテンツ名に基づいて、当該コンテンツ名に対応する広告や案内など各種情報を記憶部２２から取得し、表示装置に出力する。これにより、利用者は、実際に広告や案内など各種情報を確認しながら、目的の情報を確実に指定することができる。
【００８８】
また、利用者によって、商品名を指定する領域にあるプルダウンボタンが選択された場合には、コンテンツ位置情報作成処理部２３ｂは、商品マスタ情報記憶部２２ａに記憶された商品マスタ情報を参照して、そこに登録されている商品名および商品分類を取得し、取得した商品名の一覧を生成して、これを商品一覧として表示装置に出力する。利用者は、この商品一覧から商品名を選択することによって、商品名および商品分類を容易に指定することができる。
【００８９】
そして、利用者によって、発信機番号、コンテンツ名、商品名および商品分類が指定された後に、画面上の「登録」ボタンが選択された場合には、コンテンツ位置情報作成処理部２３ｂは、指定された発信機番号、コンテンツ名、商品名および商品分類を発信機番号ごとに対応付けてコンテンツ位置情報を作成し、コンテンツ位置情報記憶部２２ｄに格納する。
【００９０】
このように、コンテンツ位置情報登録画面を用いて、発信機番号、コンテンツ名、商品名および商品分類を指定することにより、利用者が、コンテンツ位置情報を容易に作成することが可能になる。
【００９１】
発信機位置情報作成処理部２３ｃは、利用者から指定された位置および発信機に基づいて、発信機位置情報およびコンテンツ位置情報を作成する処理部である。この発信機位置情報作成処理部２３ｃは、すでに説明した発信機位置情報作成処理部１６ｅと同様の機能を有するものであるので、ここでは詳細な説明を省略する。発信機位置情報作成処理部２３ｃは、発信機位置情報およびコンテンツ位置情報を作成すると、それぞれを、発信機位置情報記憶部２２ｅおよびコンテンツ位置情報記憶部２２ｄに格納する。
【００９２】
設定情報送信部２３ｄは、カート端末装置１０に対して各種設定情報を送信する処理部である。具体的には、この設定情報送信部２３ｄは、カート端末装置１０から設定情報の送信要求が送信されると、それに応じて、商品マスタ情報記憶部２２ａに記憶された商品マスタ情報と、コンテンツ情報記憶部２２ｂに記憶されたコンテンツ情報と、商品配置情報記憶部２２ｃに記憶された商品配置情報と、コンテンツ位置情報記憶部２２ｄに記憶されたコンテンツ位置情報と、発信機位置情報記憶部２２ｅに記憶された発信機位置情報とを、無線通信制御部２１を介して、送信要求を送信したカート端末装置１０に対して送信する。
【００９３】
なお、ここでは説明の便宜上、１台のカート端末装置のみを示したが、本実施例に係る商品情報出力システムは、複数のカート端末装置から構成される。
【００９４】
次に、本実施例に係るカート端末装置１０の処理手順について説明する。ここでは、通常モードおよびメンテナンスモードにおけるカート端末装置１０の処理手順について、それぞれ説明する。図１０は、通常モードにおけるカート端末装置１０の処理手順を示すフローチャートであり、図１１は、メンテナンスモードにおけるカート端末装置１０の処理手順を示すフローチャートである。
【００９５】
最初に、通常モードにおける処理手順について説明すると、図１０に示すように、カート端末装置１０では、発信機情報受信部１６ａが、受信機１１を介して発信機番号を受信した場合には（ステップＳ１０１，Ｙｅｓ）、入出力制御部１６ｃが、当該発信番号、および、コンテンツ位置情報記憶部１５ｄに記憶されたコンテンツ位置情報に基づいて、コンテンツ情報を表示装置１２に出力する（ステップＳ１０２）。
【００９６】
また、利用者によって現在位置表示が指定された場合には（ステップＳ１０３，Ｙｅｓ）、入出力制御部１６ｃは、発信機情報受信部１６ａによって受信された発信機番号、および、発信機位置情報記憶部１５ｅに記憶された発信機位置情報に基づいて、表示装置１２に現在地を点滅表示する（ステップＳ１０４）。
【００９７】
さらに、読取制御部１６ｂが、情報読取機１３を介して商品コードを検出した場合には（ステップＳ１０５，Ｙｅｓ）、入出力制御部１６ｃは、当該商品コード、コンテンツ位置情報記憶部１５ｄにより記憶されたコンテンツ位置情報、および、発信機位置情報記憶部１５ｅにより記憶された発信機位置情報に基づいて、表示装置１２に当該商品コードに対応する商品の位置を点滅表示する（ステップＳ１０６）。
【００９８】
続いて、メンテナンスモードにおける処理手順について説明すると、図１１に示すように、カート端末装置１０では、入出力制御部１６ｃが表示装置１２に出力した発信機位置情報登録画面を用いて、利用者によって発信機番号と位置が指定された場合には（ステップＳ２０１，Ｙｅｓ）、発信機位置情報作成処理部１６ｅが、指定された位置に対応する商品分類を商品配置情報記憶部１５ｃに記憶された商品配置情報から取得する（ステップＳ２０２）。
【００９９】
また、発信機位置情報作成処理部１６ｅは、指定された発信機番号に対応するコンテンツ位置情報がコンテンツ位置情報記憶部１５ｄにあるか否かを確認し（ステップＳ２０３）、コンテンツ位置情報があった場合には（ステップＳ２０４，Ｙｅｓ）、当該コンテンツ位置情報の商品分類と、商品配置情報から取得した商品分類とが一致しているか否かを確認する（ステップＳ２０５）。
【０１００】
ここで、商品分類が一致していた場合には（ステップＳ２０６，Ｙｅｓ）、発信機位置情報作成処理部１６ｅは、利用者によって指定された発信機番号と位置（座標）に基づいて発信機位置情報を作成し、作成した発信機位置情報を発信機位置情報記憶部１５ｅに登録し（ステップＳ２０７）、処理を終了する。
【０１０１】
一方、商品分類が一致していなかった場合には（ステップＳ２０６，Ｎｏ）、発信機位置情報作成処理部１６ｅは、表示装置１２に警告メッセージを表示して（ステップＳ２０８）、処理を終了する。
【０１０２】
ところで、ステップＳ２０４において、指定された発信機番号に対応するコンテンツ位置情報がコンテンツ位置情報記憶部１５ｄになかった場合には（ステップＳ２０４，Ｎｏ）、発信機位置情報作成処理部１６ｅは、商品配置情報から取得した商品分類に基づいて、商品およびコンテンツ情報の一覧を生成して、表示装置１２に出力する（ステップＳ２０８）。
【０１０３】
そして、出力した一覧をもちいて、利用者によって商品およびコンテンツ情報が指定された場合には（ステップＳ２０９，Ｙｅｓ）、発信機位置情報作成処理部１６ｅは、指定された商品およびコンテンツ情報に基づいて、コンテンツ位置情報を作成し、作成したコンテンツ位置情報をコンテンツ位置情報記憶部１５ｄに登録する（ステップＳ２１０）。
【０１０４】
さらに、発信機位置情報作成処理部１６ｅは、利用者によって指定された発信機番号と位置（座標）に基づいて発信機位置情報を作成し、作成した発信機位置情報を発信機位置情報記憶部１５ｅに登録し（ステップＳ２１１）、処理を終了する。
【０１０５】
このように、発信機位置情報作成処理部１６ｅが、発信機位置情報だけでなく、コンテンツ情報も併せて作成することによって、設定情報の作成にかかる労力を削減することが可能になり、設定情報を容易に作成することができるようになる。
【０１０６】
上述してきたように、本実施例では、カート端末装置１０において、店舗内の配置領域を示す情報と、当該配置領域に配置される商品を示す商品分類とを対応付けた商品配置情報を商品配置情報記憶部１５ｃに記憶し、発信機番号と商品分類などを対応付けたコンテンツ位置情報をコンテンツ位置情報記憶部１５ｄに記憶し、店舗内の任意の位置および任意の発信機が利用者によって指定された場合に、発信機位置情報作成処理部１６ｅが、商品配置情報を参照して当該位置に対応する商品分類を取得し、コンテンツ位置情報を参照して当該発信機に対応する商品分類を取得し、取得したそれぞれの商品分類が一致していた場合に、当該位置を示す位置情報（座標）と、当該発信機を識別する発信機番号とを対応付けた発信機位置情報を作成するので、商品関連情報の出力を制御するために用いられる設定情報を容易に登録および変更することができる。
【０１０７】
また、本発明によれば、カート端末装置１０において、発信機位置情報作成処理部１６ｅが、コンテンツ位置情報を参照した際に、利用者によって指定された発信機に対応する商品分類が、コンテンツ位置情報記憶部１５ｄに記憶されたコンテンツ位置情報に含まれていなかった場合には、商品配置情報記憶部１５ｃに記憶された商品配置情報を参照して、利用者によって指定された位置に対応する商品分類を取得し、取得した商品分類と、利用者によって指定された発信機を識別する発信機番号とを対応付けたコンテンツ位置情報をさらにコンテンツ位置情報記憶部１５ｄに記憶するので、発信機位置情報とコンテンツ位置情報とを同時に作成することによって、設定情報の作成にかかる労力を削減することが可能になり、その結果、情報の出力を制御するために用いられる設定情報をさらに容易に登録および変更することができる。
【０１０８】
また、本発明によれば、カート端末装置１０において、発信機位置情報作成処理部１６ｅが、商品配置情報に基づいて、店舗内の配置領域と当該配置領域に配置される商品を示す商品分類とを対応付けた情報を商品配置情報登録画面として表示装置に出力し、出力した情報を用いて位置および発信機が利用者から指定された場合に、当該位置に対応する商品分類および当該発信機に対応する商品分類を取得し、取得したそれぞれの商品分類が一致していた場合に、当該位置を示す位置情報（座標）と、当該発信機を識別する発信機番号とを対応付けた発信機位置情報を作成するので、表示装置およびアイコンなどを用いて、設定情報を作成するためのユーザインタフェースを実現することによって、情報の出力を制御するために用いられる設定情報をさらに容易に登録および変更することができる。
【０１０９】
さて、これまで本発明の実施例について説明したが、本発明は上述した実施例以外にも、種々の異なる形態にて実施されてもよいものである。
【０１１０】
例えば、店舗サーバ装置２０に備えられた商品配置情報作成処理部２３ａやコンテンツ位置情報作成処理部２３ｂと同様の機能を有する処理部をカート端末装置１０に備えるようにしてもよい。これにより、何らかの理由で店舗サーバ装置２０や無線ＬＡＮ３０が使用不可能になった場合でも、カート端末装置１０において、商品配置情報やコンテンツ位置情報を登録することが可能になる。
【０１１１】
また、本実施例では、発信機位置情報記憶部１５ｅおよび２２ｅには、発信機番号と位置とを対応付けた情報を発信機位置情報として記憶する場合を説明したが、発信機位置情報に含める情報はこれに限られるわけではない。例えば、位置に加えて、隣接する発信機との間の距離を含めるようにしてもよい。具体的には、発信機位置情報に登録されている各発信機の位置に基づいて、隣接する発信機との間の距離を算出し、算出した距離と、隣接する発信機の発信機番号とを、発信機番号および位置にさらに対応付けて記憶する。
【０１１２】
これにより、例えば、受信機１１によって、ある発信機番号が最初に受信された際に、その時間を記憶しておき、次に、異なる発信機番号（隣接する発信機の発信機番号）が受信された際に、その時間と、記憶している時間との差を算出すれば、算出した時間と、それぞれの発信機の間の距離に基づいて、カート端末装置１０、すなわち、ショッピングカートの走行速度を推測することが可能になる。
【０１１３】
そして、この走行速度を用いて、例えば、ショッピングカートの走行速度が所定の基準速度を超えた場合には表示装置１２への商品に関する情報の出力を停止することによって、画面上で情報がめまぐるしく切り替わることを防ぐなど、情報の出力に関して、より多様な制御を行うことが可能になる。
【０１１４】
また、本実施例では、カート端末装置について説明したが、カート端末装置が有する各処理部の機能をソフトウェアによって実現することで、同様の機能を有する設定情報作成プログラムを得ることができる。そこで、この設定情報作成プログラムを実行するコンピュータについて説明する。
【０１１５】
図１２は、本実施例に係る設定情報作成プログラムを実行するコンピュータの構成を示す機能ブロック図である。同図に示すように、このコンピュータ１００は、ＲＡＭ（Random Access Memory）１１０と、ＣＰＵ（Central Processing Unit）１２０と、ＨＤＤ（Hard Disk Drive）１３０と、無線ＬＡＮインタフェース１４０と、入出力インタフェース１５０と、受信機インタフェースと１６０と、情報読取機インタフェース１７０とを有する。
【０１１６】
ＲＡＭ１１０は、プログラムやプログラムの実行途中結果などを記憶するメモリであり、ＣＰＵ１２０は、ＲＡＭ１１０からプログラムを読み出して実行する中央処理装置である。
【０１１７】
ＨＤＤ１３０は、プログラムやデータを格納するディスク装置であり、無線ＬＡＮインタフェース１４０は、コンピュータ１００を無線ＬＡＮ経由で他のコンピュータに接続するためのインタフェースである。
【０１１８】
入出力インタフェース１５０は、タッチパネルなど、入出力装置を兼ねた表示装置を接続するためのインタフェースであり、受信機インタフェース１６０は、赤外線受信機やＩＣタグリーダなどの受信機を接続するインタフェースであり、情報読取機インタフェース１７０は、バーコードリーダなどの情報読取機を接続するインタフェースである。
【０１１９】
そして、このコンピュータ１００において実行される設定情報作成プログラム１１１は、出荷時などにあらかじめインストールされるか、あるいは、無線ＬＡＮインタフェース１４０を介して接続された他のコンピュータシステムのデータベースなどに記憶され、これらのデータベースから読み出されてコンピュータ１００にインストールされる。
【０１２０】
そして、インストールされた設定情報作成プログラム１１１は、ＨＤＤ１３０に記憶され、ＲＡＭ１１０に読み出されてＣＰＵ１２０によって設定情報作成プロセス１２１として実行される。
【０１２１】
また、本実施例では、スーパーマーケットやコンビニエンスストアなどの店舗において商品情報を出力する商品情報出力システムに本発明を適用した場合について説明したが、本発明はこれに限定されるものではなく、例えば、展示場や美術館などにおいて、来場者が情報端末を携帯し、展示品の情報を提供する場合にも同様に適用することができる。
【０１２２】
また、本実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２３】
この他、上記文書中や図面中で示した処理手順、制御手順、具体的名称、各種のデータやパラメータを含む情報については、特記する場合を除いて任意に変更することができる。
【０１２４】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２５】
（付記１）敷地内の各所に設置された発信機からそれぞれ発信される発信機情報に基づいて当該敷地内の物品に関する情報を出力する情報端末装置に設定される設定情報を作成する設定情報作成装置であって、
前記敷地内の領域を示す領域情報と、当該領域に配置される物品を示す物品情報とを対応付けた物品配置設定情報を記憶する物品配置設定記憶手段と、
前記発信機情報と前記物品情報とを対応付けた出力情報設定情報を記憶する出力情報設定記憶手段と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、
を備えたことを特徴とする設定情報作成装置。
【０１２６】
（付記２）前記設定情報作成手段は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手段にさらに記憶させることを特徴とする付記１に記載の設定情報作成装置。
【０１２７】
（付記３）前記物品配置設定情報に基づいて、前記敷地内の領域と当該領域に配置される物品を示す物品情報とを対応付けた情報を表示装置に出力する物品配置情報出力手段をさらに備え、
前記設定情報作成手段は、前記物品配置情報出力手段により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする付記１または２に記載の設定情報作成装置。
【０１２８】
（付記４）敷地内の各所に設置された発信機からそれぞれ発信される発信機情報に基づいて当該敷地内の物品に関する情報を出力する情報端末装置に設定される設定情報を作成する設定情報作成方法であって、
前記敷地内の領域を示す領域情報と、当該領域に配置される物品を示す物品情報とを対応付けた物品配置設定情報を記憶する物品配置設定記憶工程と、
前記発信機情報と前記物品情報とを対応付けた出力情報設定情報を記憶する出力情報設定記憶工程と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成工程と、
を含んだことを特徴とする設定情報作成方法。
【０１２９】
（付記５）前記設定情報作成工程は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶工程にさらに記憶させることを特徴とする付記４に記載の設定情報作成方法。
【０１３０】
（付記６）前記物品配置設定情報に基づいて、前記敷地内の領域と当該領域に配置される物品を示す物品情報とを対応付けた情報を表示装置に出力する物品配置情報出力工程をさらに含み、
前記設定情報作成工程は、前記物品配置情報出力工程により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする付記４または５に記載の設定情報作成方法。
【０１３１】
（付記７）敷地内の各所に設置された発信機からそれぞれ発信される発信機情報に基づいて当該敷地内の物品に関する情報を出力する情報端末装置に設定される設定情報を作成する設定情報作成プログラムであって、
前記敷地内の領域を示す領域情報と、当該領域に配置される物品を示す物品情報とを対応付けた物品配置設定情報を記憶する物品配置設定記憶手順と、
前記発信機情報と前記物品情報とを対応付けた出力情報設定情報を記憶する出力情報設定記憶手順と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手順と、
をコンピュータに実行させることを特徴とする設定情報作成プログラム。
【０１３２】
（付記８）前記設定情報作成手順は、前記出力情報設定情報を参照した際に、前記利用者によって指定された発信機に対応する物品情報が当該出力情報設定情報に含まれていなかった場合には、前記物品配置設定情報を参照して前記利用者によって指定された位置に対応する物品情報を取得し、取得した物品情報と、前記利用者によって指定された発信機を識別する発信機情報とを対応付けた出力情報設定情報を前記出力情報設定記憶手順にさらに記憶させることを特徴とする付記７に記載の設定情報作成プログラム。
【０１３３】
（付記９）前記物品配置設定情報に基づいて、前記敷地内の領域と当該領域に配置される物品を示す物品情報とを対応付けた情報を表示装置に出力する物品配置情報出力手順をさらにコンピュータに実行させ、
前記設定情報作成手順は、前記物品配置情報出力手順により出力された情報を用いて前記位置および発信機が利用者から指定された場合に、当該位置に対応する物品情報および当該発信機に対応する物品情報を取得し、取得したそれぞれの物品情報が一致していた場合に、当該位置を示す位置情報と、当該発信機を識別する発信機情報とを対応付けた発信機位置設定情報を作成することを特徴とする付記７または８に記載の設定情報作成プログラム。
【０１３４】
（付記１０）敷地内の各所に設置された発信機からそれぞれ発信される発信機情報に基づいて当該敷地内の物品に関する情報を出力する情報端末装置と、当該情報端末装置を管理するサーバ装置とから構成される情報出力システムであって、
前記サーバ装置が、
前記敷地内の領域を示す領域情報と当該領域に配置される物品を示す物品情報とを対応付けた物品配置設定情報を記憶する物品配置設定記憶手段と、
前記発信機情報と前記物品情報とを対応付けた出力情報設定情報を記憶する出力情報設定記憶手段と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、
前記物品配置設定情報、前記出力情報設定情報および前記発信機位置設定情報を前記情報端末装置に送信する設定情報送信手段と、を備え、
前記情報端末装置が、
前記サーバ装置により送信された前記物品配置設定情報、前記出力情報設定情報および前記発信機位置設定情報を受信する設定情報受信手段と、
前記発信機からそれぞれ発信される発信機情報を受信した場合に、前記設定情報受信手段により受信された物品配置設定情報、出力情報設定情報および発信機位置設定情報に基づいて、前記敷地内の物品に関する情報を出力する物品関連情報出力手段と、
を備えたことを特徴とする情報出力システム。
【０１３５】
（付記１１）敷地内の各所に設置された発信機からそれぞれ発信される発信機情報に基づいて当該敷地内の物品に関する情報を出力する情報端末装置であって、
前記敷地内の領域を示す領域情報と当該領域に配置される物品を示す物品情報とを対応付けた物品配置設定情報を記憶する物品配置設定記憶手段と、
前記発信機情報と前記物品情報とを対応付けた出力情報設定情報を記憶する出力情報設定記憶手段と、
前記敷地内の任意の位置および任意の発信機が利用者によって指定された場合に、前記物品配置設定情報を参照して当該位置に対応する物品情報を取得し、前記出力情報設定情報を参照して当該発信機に対応する物品情報を取得し、取得したそれぞれの物品情報が一致していた場合に、当該位置を示す位置情報と、当該発信機を識別する発信機情報とを対応付けた発信機位置設定情報を作成する設定情報作成手段と、
前記発信機からそれぞれ発信される発信機情報を受信した場合に、前記物品配置設定情報、前記出力情報設定情報および前記発信機位置設定情報に基づいて、前記敷地内の物品に関する情報を出力する物品関連情報出力手段と、
を備えたことを特徴とする情報端末装置。
【産業上の利用可能性】
【０１３６】
以上のように、本発明に係る設定情報作成装置、設定情報作成方法、設定情報作成プログラムおよび情報出力システムは、敷地内の各所に設置された発信機からそれぞれ発信される発信機情報に基づいて当該敷地内の物品に関する情報を出力する情報端末装置に設定される設定情報を作成する場合に有用であり、特に、各種情報の出力を制御するために用いられる設定情報を容易に登録および変更することが求められる場合に適している。
【図面の簡単な説明】
【０１３７】
【図１】本実施例に係る商品情報出力システムにおける設定情報作成方法の概要を説明するための説明図である。
【図２】本実施例に係る商品情報出力システムの構成を示す機能ブロック図である。
【図３】商品マスタ情報記憶部の一例を示す図である。
【図４】商品配置情報記憶部の一例を示す図である。
【図５】コンテンツ位置情報記憶部の一例を示す図である。
【図６】発信機位置情報記憶部の一例を示す図である。
【図７】発信機位置情報登録画面の一例を示す図である。
【図８】商品配置情報登録画面の一例を示す図である。
【図９】コンテンツ位置情報登録画面の一例を示す図である。
【図１０】通常モードにおけるカート端末装置の処理手順を示すフローチャートである。
【図１１】メンテナンスモードにおけるカート端末装置の処理手順を示すフローチャートである。
【図１２】本実施例に係る設定情報作成プログラムを実行するコンピュータの構成を示す機能ブロック図である。
【符号の説明】
【０１３８】
１０    カート端末装置
１１    受信機
１２    表示装置
１３    情報読取機
１４    無線通信制御部
１５    記憶部
１５ａ    商品マスタ情報記憶部
１５ｂ    コンテンツ情報記憶部
１５ｃ    商品配置情報記憶部
１５ｄ    コンテンツ位置情報記憶部
１５ｅ    発信機位置情報記憶部
１６    制御部
１６ａ    発信機情報受信部
１６ｂ    読取制御部
１６ｃ    入出力制御部
１６ｄ    設定情報取得部
１６ｅ    発信機位置情報作成処理部
２０    店舗サーバ装置
２１    無線通信制御部
２２    記憶部
２２ａ    商品マスタ情報記憶部
２２ｂ    コンテンツ情報記憶部
２２ｃ    商品配置情報記憶部
２２ｄ    コンテンツ位置情報記憶部
２２ｅ    発信機位置情報記憶部
２３    制御部
２３ａ    商品配置情報作成処理部
２３ｂ    コンテンツ位置情報作成処理部
２３ｃ    発信機位置情報作成処理部
２３ｄ    設定情報送信部
３０    無線ＬＡＮ
１００    コンピュータ
１１０    ＲＡＭ
１１１    設定情報作成プログラム
１２０    ＣＰＵ
１２１    設定情報作成プロセス
１３０    ＨＤＤ
１４０    無線ＬＡＮインタフェース
１５０    入出力インタフェース
１６０    受信機インタフェース
１７０    情報読取機インタフェース
【図１】
2008191951.tif 000003
【図２】
2008191951.tif 000004
【図３】
2008191951.tif 000005
【図４】
2008191951.tif 000006
【図５】
2008191951.tif 000007
【図６】
2008191951.tif 000008
【図７】
2008191951.tif 000009
【図８】
2008191951.tif 000010
【図９】
2008191951.tif 000011
【図１０】
2008191951.tif 000012
【図１１】
2008191951.tif 000013
【図１２】
2008191951.tif 000014